(57)【要約】【課題】一斉放送を行う際に、管理室用インターホン親機からハウリングが生じることを防止することのできる集合住宅用インターホンシステムを提供する。【解決手段】一斉放送の受信対象装置を判別するための情報が予め登録された記憶手段５４と、放送開始操作を受け付けたときには、記憶手段５４を参照して、受信対象装置の全てに、所定の制御信号として一斉放送要求信号を送信する放送制御手段５０とを備えており、マイクＭＩで集音した音声を、一斉放送要求信号によって形成された通話路を通じて放送する。【選択図】図１
2008092400.tif 000002
【特許請求の範囲】
【請求項１】
ドアホン子器を有する住戸用インターホン親機、ロビーインターホン、及び、周囲の音声を集音するマイクを有する管理室用インターホン親機からなる通話装置と、それらの通話装置に所定の制御信号を送信して、相互通話するための通話路を形成させる通話制御装置とを備えた集合住宅用インターホンシステムにおいて、
一斉放送の受信対象装置を判別するための情報が予め登録された記憶手段と、
放送開始操作を受け付けたときには、上記記憶手段を参照して、上記受信対象装置の全てに、上記所定の制御信号として一斉放送要求信号を送信する放送制御手段とを備えており、
上記マイクで集音した音声を、上記一斉放送要求信号によって形成された通話路を通じて放送することを特徴とする集合住宅用インターホンシステム。
【請求項２】
請求項１において、
上記受信対象装置の登録手段を備え、その手段では、
上記受信対象装置として、その装置が設置されている住戸番号を受け付けることを特徴とする集合住宅用インターホンシステム。
【請求項３】
ドアホン子器を有する住戸用インターホン親機、ロビーインターホン、及び、周囲の音声を集音するマイクを有する管理室用インターホン親機からなる通話装置と、それらの通話装置に所定の制御信号を送信して、相互通話するための通話路を形成させる通話制御装置と、放送開始操作を受け付けたときには、上記住戸用インターホン親器の全てに、上記一斉放送要求信号を送信する放送制御手段とを備え、上記マイクで集音した音声を、上記一斉放送要求信号によって形成された通話路を通じて放送する集合住宅用インターホンシステムであって、
上記住戸用インターホン親機は、
自らが一斉放送の受信対象装置であるか否かを判断するための情報が予め登録された記憶手段を備え、上記所定の制御信号として一斉放送要求信号を受信したときには、上記記憶手段を参照して、上記通話路を形成するか否かを決定することを特徴とする集合住宅用インターホンシステム。
【発明の詳細な説明】
【技術分野】
【０００１】
本発明は、集合住宅用インターホンシステムの改良に関する。
【背景技術】
【０００２】
近時、特許文献１に示すように、集合住宅用インターホンシステムが広く普及してきている。
【０００３】
この種の集合住宅用インターホンシステムは、各住戸に設置された住戸用インターホン親機と、集合玄関などに設置されたロビーインターホンと、管理人室などに設置された管理室用インターホン親機と、これらの通話装置を制御して、相互通話を可能とさせる通話制御装置を、少なくとも、通話線、信号線を介して接続して構成している。
【０００４】
このものでは、通話制御装置の通話制御によって、ロビーインターホンと管理室用インターホン親機または住戸用インターホン親機との間、管理室用インターホン親機とロビーインターホンまたは住戸用インターホン親機との間の呼出通話を制御しているほか、システムの住戸用インターホン親機より、避難誘導や案内放送などの場合の一斉放送をさせることができる。このような一斉放送は、システムの全ての住戸用インターホン親機と管理室用インターホン親機との通話路を閉結し、閉結した通話路を通じて、管理室用インターホン親機のマイクに入力された音声を送出することにより行うようになっている。
【特許文献１】特開２００３−１６５５７号公報
【発明の開示】
【発明が解決しようとする課題】
【０００５】
ところで、上記した従来の集合住宅用インターホンシステムでは、管理室用インターホン親機のマイクに入力された音声をシステムの全ての住戸用インターホン親機から出力させるために、管理室用インターホン親機の近隣に配置されている住戸用インターホン親機から出力された音声が、管理室用インターホン親機のマイクに入力されてしまい、管理室用インターホン親機においていわゆるハウリングが生じるおそれがある。
【０００６】
本発明は、このような事情を考慮して提案されるものであり、一斉放送を行う際に、管理室用インターホン親機からハウリングが生じることを防止することのできる集合住宅用インターホンシステムを提供することを目的とする。
【課題を解決するための手段】
【０００７】
上記目的を達成するために、本発明の請求項１では、一斉放送の受信対象装置を判別するための情報が予め登録された記憶手段と、放送開始操作を受け付けたときには、記憶手段を参照して、通話制御装置から、受信対象装置の全てに、所定の制御信号として一斉放送要求信号を送信する放送制御手段とを備えており、マイクで集音した音声を、一斉放送要求信号によって形成された通話路を通じて放送することを特徴とする。
【０００８】
請求項２では、受信対象装置の登録手段を備え、その手段では、受信対象装置として、その装置が設置されている住戸番号を受け付けることを特徴とする。
【０００９】
請求項３では、ドアホン子器を有する住戸用インターホン親機、ロビーインターホン、及び、周囲の音声を集音するマイクを有する管理室用インターホン親機からなる通話装置と、それらの通話装置に所定の制御信号を送信して、相互通話するための通話路を形成させる通話制御装置と、放送開始操作を受け付けたときには、住戸用インターホン親器の全てに、一斉放送要求信号を送信する放送制御手段とを備え、マイクで集音した音声を、一斉放送要求信号によって形成された通話路を通じて放送する集合住宅用インターホンシステムであって、住戸用インターホン親機は、自らが一斉放送の受信対象装置であるか否かを判断するための情報が予め登録された記憶手段を備え、所定の制御信号として一斉放送要求信号を受信したときには、記憶手段を参照して、通話路を形成するか否かを決定することを特徴とする。
【発明の効果】
【００１０】
本発明の請求項１によれば、予め登録されている受信対象装置に対して、一斉放送要求信号を送信して、その受信対象装置と管理室用インターホン親機との通話路を形成させ、その通話路を通じて放送するので、一斉放送を行わない住戸用インターホン親機を予め選択しておくことができ、その住戸用インターホン親機からは一斉放送が出力されないために、ハウリングが生じることを防止できる。
【００１１】
請求項２によれば、受信対象装置として、その装置が設置されている住戸番号を受け付けるので、受信対象装置の登録を容易にできる。
【００１２】
請求項３によれば、住戸用インターホン親機は、自らが受信対象装置であるか否かが登録できるので、受信対象装置の選択操作にミスが生じにくい。
【発明を実施するための最良の形態】
【００１３】
以下に、本発明の実施の形態について説明する。
【００１４】
図８は、本発明の集合住宅用インターホンシステムの概略構成を示すシステム系統図である。
【００１５】
本発明の集合住宅用インターホンシステムは、管理人室などに設置される管理室用インターホン親機１より、信号線Ｌ１と通話線Ｌ２を導出させ、通話制御装置５を介在させて、各住戸に設置される住戸用インターホン親機２と、集合玄関などに設置されるロビーインターホン４を接続している。また、各住戸に設置される住戸用インターホン親機２のそれぞれは、通話線Ｌ３を介してドアホン子器３を接続している。
【００１６】
管理室用インターホン親機１、住戸用インターホン親機２、ロビーインターホン４は通話装置を構成しており、通話制御装置５は、これらの通話装置間の呼出通話を可能としている。つまり、通話制御装置５は、通話装置に対して制御信号を送出することにより、管理室用インターホン親機１と住戸用インターホン２との間、ロビーインターホン４と住戸用インターホン２との間の通話路を閉結させ、呼出通話を可能とするようにしている。なお、図示では、信号線Ｌ１と通話線Ｌ２とは別構成としているが、多重伝送を行う場合には、信号線Ｌ１と通話線Ｌ２の機能を兼ね備えた共用線で接続するようにしてもよい。
【００１７】
このような構成の集合住宅用インターホンシステムでは、管理室用インターホン親機１において放送開始操作があったときには、通話制御装置５または住戸用インターホン親機２において一斉放送をすべき受信対象装置を判別し、判別した受信対象装置と管理室用インターホン親機１との間の通話路を形成させ、管理室用インターホン親機１のマイクＭＩを通じて入力された音声を通話路に送出し、受信対象装置から音声を出力させる。ここに、受信対象装置とは、システムの住戸用インターホン親機２のうち、管理室用インターホン親機１のマイクＭＩを通じて入力された音声を受信させることができる装置をいう。
【００１８】
図１は、管理室用インターホン親機１の要部構成の一例を示すブロック図である。図２は、通話制御装置５の要部構成の一例を示すブロック図である。
【００１９】
管理室用インターホン親機１は、以下の各部を制御する制御部１０、信号線Ｌ１を通じて各種信号を送受するための伝送送受信部１１、操作部１２、記憶部１３、報知音生成部１４、表示部１５、通話部１６を備えている。
【００２０】
制御部１０は、放送開始操作があったときには、一斉放送要求信号を通話制御装置２に送出する。通話制御装置２の後述する処理により閉結された通話路を通じて、マイクＭＩで集音した音声を送出する。報知音生成部１４は、住戸用インターホン親機２あるいはロビーインターホン４からの呼出があったことを報知する報知音を生成する。
通話部１６は、この管理室用インターホン親機１において通話線Ｌ２を通じた通話をするために設けられており、一斉放送時には、受信対象装置との間で閉結した通話路を通じて、マイクＭＩを通じて入力された音声を送出する。
【００２１】
通話制御装置５は、放送制御手段を構成し、以下の各部を制御する制御部５０、信号線Ｌ１を通じて各種信号を送受するための伝送送受信部５１、操作釦を有する操作手段５２、液晶画面などと組み合わされて構成されており、受信対象装置となる通話装置を登録するための受信対象装置設定手段５３、記憶手段を構成し、受信対象装置設定手段５３で設定した受信対象装置を記憶する記憶部５４、管理室用インターホン親機１あるいは住戸用インターホン親機２の間での通話路の閉結の切替を行う通話路切換部５５とを備えている。なお、登録手段は、制御部５０、受信対象装置設定手段５３、記憶部５４で構成されている。
制御部５０は、管理室用インターホン親機１から一斉放送要求信号を受信したときには、通話路切換部５５を制御して、住戸用インターホン親機２側との通話路の閉結を行うとともに、記憶部５４を参照して、受信対象装置を判別し、判別した受信対象装置のアドレスを指定した一斉放送要求信号を送出する。
また、制御部５０は、管理室用インターホン親機１から一斉放送要求信号を受信したときには、通話路切換部５５を制御して、住戸用インターホン親機２側との通話路の閉結を行うとともに、システム内の全ての住戸用インターホン親機２を指定した一斉放送要求信号を送出することもできる。
【００２２】
図３は、記憶部５４における受信対象装置の登録態様を説明する図である。
ここでは、受信対象装置としてシステム内の住戸用インターホン親機２が登録されるようにしており、住戸用インターホン装置２が設置される住戸番号と、住戸用インターホン親機２に割り付けられたアドレスとが対応して登録されるようになっている。
記憶部５４への受信対象装置の登録手順としては、種々考えられるが、例えば、各住戸番号と、その住戸の住戸用インターホン親機２のアドレスとの対応関係をテーブルとして予め準備しておき、操作手段５２によって住戸番号を入力すれば、そのテーブルを参照して、対応した住戸用インターホン親機２のアドレスを判別して登録することができる。
【００２３】
図４は、住戸用インターホン親機２の要部構成の一例を示すブロック図である。
住戸用インターホン親機２は、以下の各部を制御する制御部２０、信号線Ｌ１を通じて各種信号を送受するための伝送送受信部２１、モニタ部２２、映像処理部２３、スイッチ入力部２４、操作スイッチ部２５、通話処理部２６、通話路切換部２７、報知音生成部２８、記憶手段を構成する記憶部２９、マイクＭＩ、スピーカＳＰを備える。
【００２４】
制御部２０は、通話制御装置５から、自装置を指定した一斉放送要求信号を受信したときには、通話路切換部２７の状態を判断し、この住戸用インターホン親機２とドアホン子器３との間の通話路が閉結されていないときには、割込信号を送出し、通話制御装置５から許可があれば、自装置のアドレスを含んだ一斉放送受信可能信号を送信し、通話制御装置５との通話路を閉結させる。そうすれば、一斉放送要求信号を受信した際には、先述したように、管理室用インターホン親機１と通話制御装置５との通話路は閉結されているので、結果として、管理室用インターホン親機１と受信対象装置となっている住戸用インターホン装置２との通話路が閉結される。
【００２５】
また、制御部２０は、通話制御装置５から自装置を指定した一斉放送要求信号を受信したときには、通話路切換部２７の状態を判断して管理室用インターホン親機１との通話路を閉結させる前に、記憶部２９を参照して、自らが受信対象装置であるか否かを判別し、自らが受信対象装置であれば、通話制御装置５からの一斉放送要求信号の受信を有効とすることもできる。そのため、記憶部２９には、自らが受信対象装置であることを示す設定値が予め登録可能となっている。
【００２６】
通話処理部２６は、マイクＭＩ、スピーカＳＰを使用したハンズフリー通話を行うために設けられており、通話路切換部２７は、通話処理部２６とドアホン子器３との間の通話線Ｌ２による通話路と、通話処理部２６と管理室用インターホン親機１との間の通話線Ｌ２による通話路とを、制御部２０の制御により切り換えることができるようにしている。ここで、本実施例では、住戸用インターホン親機はハンズフリーを想定しているが、ハンドセットを備えたものであってもよい。
報知音生成部２８は、管理室用インターホン親機１、ロビーインターホン４からの呼出があったことを報知する報知音を生成する。
【００２７】
図５は、本発明の集合住宅用インターホンシステムの基本動作の一例を説明するフローチャートである（１００〜１０５）。
【００２８】
管理室用インターホン親機１は、放送開始操作があったときには、一斉放送要求信号を通話制御装置５に送出する（１００）。すると、通話制御装置５は、管理室用インターホン親機１との通話路を閉結させるとともに、受信対象装置を判別し、判別した受信対象装置を指定した一斉放送要求信号を信号線Ｌ１を通じて送出する（１０１）。
【００２９】
これを受けた受信対象装置である住戸用インターホン親機２は、自らとドアホン子器３との通話路が閉結されていない場合には、通話制御装置５に対して割込信号を、送信許可を受けるまで送信を繰り返し、通話制御装置５から送信許可を受けると、自装置のアドレスを含んだ一斉放送受信可能信号を送信し、通話制御装置５との通話路を閉結させる（１０２〜１０４）。結果、管理室用インターホン親機１と受信対象装置との間で通話路が閉結される。
【００３０】
管理室用インターホン親機１は、このような通話制御装置１と住戸用インターホン親機２との通信を経て閉結された通話路に対して、マイクＭＩを通じて入力した音声を送出する（１０５）。そのとき、住戸用インターホン親機２では、管理室用インターホン親機１から送出された音声が鳴動する。
【００３１】
図６は、本発明の集合住宅用インターホンシステムの基本動作の他例を説明するフローチャートである（２００〜２０６）。
管理室用インターホン親機１は、放送開始操作があったときには、一斉放送要求信号を通話制御装置５に送出する（２００）。すると、通話制御装置５は、管理室用インターホン親機１との通話路を閉結させるとともに、システム内の全ての住戸用インターホン親機２を指定した一斉放送要求信号を送出する（２０１）。システム内の住戸用インターホン親機２は、記憶部２９を参照して自らが受信対象装置か否かを判別する（２０２）。
住戸用インターホン親機２は、自らが受信対象装置であると判別したときには、自らとドアホン子器３との通話路が閉結されていない場合には、通話制御装置５に対して割込信号を、通話制御装置５から送信許可を受けるまで送信を繰り返し、送信許可を受けると、自装置のアドレスを含んだ一斉放送受信可能信号を送信し、通話制御装置５との通話路を閉結させる。一方、自らが受信対象装置ではないと判別したときには、通話路閉結は行わない（２０３〜２０５）。
【００３２】
その後、管理室用インターホン親機１からは、通話路を通じて、管理室用インターホン親機１のマイクＭＩに入力された音声が送出されてくるので、これを受けた住戸用インターホン親機２は、送出されてきた音声をスピーカＳＰから出力する（２０６）。
【００３３】
図６は、本システムで送受される信号フォーマットの一例を示す図である。本システムで送受される信号には、管理室用インターホン親機１から送信される一斉放送要求信号、住戸用インターホン親機２から送信される割込信号、一斉放送受信可能信号が少なくとも含まれる。このような信号は、図示したように、スタートビット格納領域ＳＢ、アドレス格納領域ＡＤ、コマンド格納領域ＣＯＭ、エンドビット格納領域ＥＢを備えている。
【００３４】
スタートビット格納領域ＳＢには、送信先に対して信号送信の始まりを通知するためのスタートビットが格納される。アドレス格納領域ＡＤには、送信元、送信先のアドレス情報が格納される。コマンド格納領域ＣＯＭには、一斉放送要求信号などとして機能するための制御コマンドが格納される。エンドビット格納領域ＥＢには、送信先に対して信号送信の終わりを通知するためのエンドビットが格納される。
【図面の簡単な説明】
【００３５】
【図１】管理室用インターホン親機の要部構成の一例を示すブロック図
【図２】通話制御装置の要部構成の一例を示すブロック図
【図３】受信対象装置の登録態様を示す図
【図４】住戸用インターホン親機の要部構成の一例を示す図
【図５】集合住宅用インターホンシステムの基本動作の一例を説明するためのフローチャート
【図６】集合住宅用インターホンシステムの基本動作の他例を説明するためのフローチャート
【図７】信号フォーマットの一例について示す図
【図８】集合住宅用インターホンシステムの概略構成の一例を示すシステム系統図
【符号の説明】
【００３６】
１  管理室用インターホン親機
２  住戸用インターホン親機
４  ロビーインターホン
５  通話制御装置
２０、５０  制御部
２９、５４  記憶部
５３  受信対象装置設定手段
Ｌ１  信号線
Ｌ２  通話線
ＭＩ  マイク
【図１】
2008092400.tif 000003
【図２】
2008092400.tif 000004
【図３】
2008092400.tif 000005
【図４】
2008092400.tif 000006
【図５】
2008092400.tif 000007
【図６】
2008092400.tif 000008
【図７】
2008092400.tif 000009
【図８】
2008092400.tif 000010